(57)【要約】【課題】  バックライトユニット及び表示装置において、狭指向性と分極指向性とを任意に切り替え可能にすること。【解決手段】  平行な複数の稜線３ａを有するプリズム部３を下面側に有する第１のプリズムシート４と、第１のプリズムシート４の下面側に配される第１の導光板５と、第１の導光板５の下面側に配され平行な複数の稜線３ａを有するプリズム部３を下面側に有する第２のプリズムシート６と、第２のプリズムシート６の下面側に配される第２の導光板７と、第１の導光板５の端部に配され第１の導光板５内に光を出射する第１の光源８と、第２の導光板７の端部に配され第２の導光板７内に光を出射する第２の光源９とを備えている。【選択図】  図１
2008123925.tif 000002
【特許請求の範囲】
【請求項１】
平行な複数の稜線を有するプリズム部を下面側に有する第１のプリズムシートと、
前記第１のプリズムシートの下面側に配される第１の導光板と、
前記第１の導光板の下面側に配され平行な複数の稜線を有するプリズム部を下面側に有する第２のプリズムシートと、
前記第２のプリズムシートの下面側に配される第２の導光板と、
前記第１の導光板の端部に配されかつ前記第１のプリズムシートにおけるプリズム部の稜線に対して光軸がねじれの位置に設定されて前記第１の導光板内に光を出射する第１の光源と、
前記第２の導光板の端部に配されかつ前記第２のプリズムシートにおけるプリズム部の稜線に対して光軸がねじれの位置に設定されて前記第２の導光板内に光を出射する第２の光源とを備えていることを特徴とするバックライトユニット。
【請求項２】
請求項１に記載のバックライトユニットにおいて、
前記プリズム部の稜線が、前記第１のプリズムシートと前記第２のプリズムシートとで互いに平行して配されていることを特徴とするバックライトユニット。
【請求項３】
請求項１に記載のバックライトユニットにおいて、
前記プリズム部の稜線が、前記第１のプリズムシートと前記第２のプリズムシートとで互いにねじれの位置に配されていることを特徴とするバックライトユニット。
【請求項４】
請求項１から３のいずれか一項に記載のバックライトユニットにおいて、
前記第１の光源及び前記第２の光源が、ＬＥＤであることを特徴とするバックライトユニット。
【請求項５】
画像表示パネルと、
前記画像表示パネルの裏面側に配された請求項１から４のいずれか一項に記載のバックライトユニットと、
前記光を出射する前記第１の光源と前記第２の光源とを切り替え可能な切替制御部とを備えていることを特徴とする表示装置。
【請求項６】
請求項５に記載の表示装置において、
前記切替制御部が、前記第１の光源と前記第２の光源との両光量を個別に調整可能であることを特徴とする表示装置。
【請求項７】
請求項５又は６に記載の表示装置において、
前記画像表示パネルが、液晶表示パネルであることを特徴とする表示装置。
【請求項８】
請求項５から７のいずれか一方に記載の表示装置において、
車載用のカーナビゲーション又は車載用のテレビジョンに用いられることを特徴とする表示装置。
【請求項９】
請求項５から８のいずれか一方に記載の表示装置において、
前記画像表示パネルが、その表示画面に対する方向に応じて異なる画像を表示可能であることを特徴とする表示装置。
【発明の詳細な説明】
【技術分野】
【０００１】
本発明は、例えば車載用のカーナビゲーション等に好適な表示装置のバックライトユニット及びこれを備えた表示装置に関する。
【背景技術】
【０００２】
車載用のカーナビゲーション、液晶テレビジョン、パーソナルコンピュータのディスプレイ、携帯電話機、ＰＤＡ等には、画像表示のための液晶表示装置が広く採用されている。この液晶表示装置には、液晶表示パネルの裏面側から光を照射して表示画面の輝度を高めるバックライトユニットが用いられている。
【０００３】
近年、液晶表示装置の使用環境に応じて、画面正面からの視認性と画面斜め側方からの視認性とを任意に切り替えたいという要望がある。例えば、携帯電話機の液晶ディスプレイでは、表示された画像や情報を使用中に側方から他人に覗き見されないようにしたいという要望がある。また、カーナビゲーションのディスプレイでは、その設置位置及びディスプレイの向きによって、運転席、助手席及び後部座席から見た際の液晶画面の明るさがそれぞれ異なり、座席や場所によって十分な輝度及び視認性を得ることができない場合もあった。
【０００４】
このため、例えば特許文献１では、平滑な第１斜面と凹凸のある第２斜面とを有する複数の突条が形成された導光板と、この導光板の両端に配設された線状光源の第１光源及び第２光源とを備えたバックライトユニットが提案されている。このバックライトユニットでは、平坦な第１斜面に対して第１光源から光を入射することで、狭指向性を得ることができ、凹凸のある第２斜面に対して第２光源から光を入射することで、反射光が散乱光となって広指向性を得ることができるようになっている。したがって、この技術は、第１光源及び第２光源の切り替えにより、使用者の周りに外部観察者がいる際に、使用者だけが認識できる状態と外部観察者にも認識できる状態とを任意に選択できるものである。
【０００５】
【特許文献１】特開２００６−６６２８２号公報
【発明の開示】
【発明が解決しようとする課題】
【０００６】
しかしながら、上記従来の技術には、以下の課題が残されている。
すなわち、特許文献１の技術では、凹凸のある第２斜面に照射した場合に、画面正面に輝度のピークを有し、広角度に光強度が分布した広指向性が得られるが、画面斜め側方からの視認性のみを高めて、画面正面からの視認性を下げたい場合等には不向きである。例えば、車載用のカーナビゲーションでは、車のダッシュボードの中央、すなわち運転席と助手席との間にディスプレイが設置される場合が多く、画面斜め側方から見た場合、すなわち運転席の運転者及び助手席の同乗者の両方から見た場合に、画面正面から見た場合よりも輝度が低く高い視認性を得ることができない。このように、画面斜め側方への輝度を向上させる分極指向性に切り替る構造を有していないという不都合があった。
【０００７】
本発明は、前述の課題に鑑みてなされたもので、狭指向性と分極指向性とを任意に切り替えることができるバックライトユニット及びこれを備えた表示装置を提供することを目的とする。
【課題を解決するための手段】
【０００８】
本発明は、前記課題を解決するために以下の構成を採用した。すなわち、本発明のバックライトユニットは、平行な複数の稜線を有するプリズム部を下面側に有する第１のプリズムシートと、前記第１のプリズムシートの下面側に配される第１の導光板と、前記第１の導光板の下面側に配され平行な複数の稜線を有するプリズム部を下面側に有する第２のプリズムシートと、前記第２のプリズムシートの下面側に配される第２の導光板と、前記第１の導光板の端部に配されかつ前記第１のプリズムシートにおけるプリズム部の稜線に対して光軸がねじれの位置に設定されて前記第１の導光板内に光を出射する第１の光源と、前記第２の導光板の端部に配されかつ前記第２のプリズムシートにおけるプリズム部の稜線に対して光軸がねじれの位置に設定されて前記第２の導光板内に光を出射する第２の光源とを備えていることを特徴とする。
【０００９】
このバックライトユニットでは、２段重ねされた第１のプリズムシートと第２のプリズムシートとを備え、それぞれに第１の導光板及び第２の導光板を介して第１の光源及び第２の光源からの光を入射可能であるので、第１の光源のみから光を照射した場合には、第１のプリズムシートのみを光が透過することで画面正面への狭指向性が得られ、第２の光源のみから光を照射した場合には、第２のプリズムシート及び第１のプリズムシートの両方を光が透過することで画面斜め側方への分極指向性が得られる。さらに、第１の光源及び第２の光源の両方から光を照射した場合には、上記２つの指向性が合わされて、画面正面及び画面斜め側方の三方向に分極した広指向性を高い輝度で得ることができる。したがって、第１の光源及び第２の光源の各ＯＮ／ＯＦＦ動作を選択して切り替えることで、狭指向性、二方向への分極指向性さらには広指向性を任意にかつ迅速に切り替えることが可能になる。なお、第１の光源及び第２の光源の光軸は、それぞれ第１のプリズムシート及び第２のプリズムシートにおけるプリズム部の稜線に対して光軸がねじれの位置に設定されるが、上方への高い指向性が得られる方向として、プリズム部の稜線に直交する方向と平行に設定されることが好ましい。
【００１０】
また、本発明のバックライトユニットでは、前記プリズム部の稜線が、前記第１のプリズムシートと前記第２のプリズムシートとで互いに平行して配されていることを特徴とする。すなわち、このバックライトユニットでは、第１のプリズムシートと第２のプリズムシートとのプリズム部の稜線が平行配置されているので、これら稜線と直交する方向に分極する指向性を得ることができる。
【００１１】
また、本発明のバックライトユニットでは、前記プリズム部の稜線が、前記第１のプリズムシートと前記第２のプリズムシートとで互いにねじれの位置に配されていることを特徴とする。すなわち、このバックライトユニットでは、第２のプリズムシートにおけるプリズム部の稜線に対して第１のプリズムシートにおけるプリズム部の稜線を任意のねじれの位置に設定することで、第１のプリズムシートにおけるプリズム部の稜線に直交する方向に分極する指向性を得ることができる。例えば、第２のプリズムシートにおいてプリズム部の稜線を上下に延在するように配した場合、これら稜線に対して直交する方向と平行に、すなわち左右方向に延在するように第１のプリズムシートにおけるプリズム部の稜線を配することで、上下に分極する指向性を得ることができる。
【００１２】
また、本発明のバックライトユニットでは、前記第１の光源及び前記第２の光源が、ＬＥＤであることを特徴とする。すなわち、このバックライトユニットでは、第１の光源及び第２の光源にＬＥＤを採用しているので、低消費電力化、長寿命化及びユニットの小型化が可能になる。
【００１３】
本発明の表示装置は、画像表示パネルと、前記画像表示パネルの裏面側に配された上記本発明のバックライトユニットと、前記光を出射する前記第１の光源と前記第２の光源とを切り替え可能な切替制御部とを備えていることを特徴とする。すなわち、この表示装置では、上記本発明のバックライトユニットと、光を出射する第１の光源と第２の光源とを切り替え可能な切替制御部とを備えているので、切替制御部によって第１の光源及び第２の光源のＯＮ／ＯＦＦを任意に切り替えることで、狭指向性と分極指向性とを容易に切り替え可能な表示装置を得ることができる。
【００１４】
また、本発明の表示装置は、前記切替制御部が、前記第１の光源と前記第２の光源との両光量を個別に調整可能であることを特徴とする。第２の光源からの光は、導光板及びプリズムシートを二度透過するため、第１の光源からの光よりも光出射面では多く減衰している。このため、この表示装置では、切替制御部が、第１の光源と第２の光源との両光量を個別に調整可能であるので、例えば、第２の光源の光量を第１の光源よりも高く設定することで、第１の光源と第２の光源との切り替え前後で輝度バランスを一定にすることができる。また、第１の光源と第２の光源とを同時点灯する場合に、切替制御部により、いずれか一方のみを点灯する場合と同様の輝度になるように両方の光量を調整することで、両方点灯と片方点灯との輝度バランスを一定にすることができる。
【００１５】
また、本発明の表示装置は、前記画像表示パネルが、液晶表示パネルであることを特徴とする。すなわち、この表示装置では、液晶表示パネルを用いた液晶表示装置であるので、薄型軽量化及び低コスト化ができると共に、指向性切替が可能な液晶表示が得られる。
【００１６】
また、本発明の表示装置は、車載用のカーナビゲーション又は車載用のテレビジョンに用いられることを特徴とする。すなわち、この表示装置では、車載用のカーナビゲーション又は車載用のテレビジョンに用いられるので、運転席、助手席及び後部座席にそれぞれ対応した光指向性を選択でき、任意の席で明るくて良好な視認性を得ることができる。
【００１７】
また、本発明の表示装置は、前記画像表示パネルが、その表示画面に対する方向に応じて異なる画像を表示可能であることを特徴とする。すなわち、この表示装置では、画像表示パネルが、その表示画面に対する方向に応じて異なる画像を表示可能であるので、表示画面を見る方向に応じた光指向性を選択することで、見る方向によって異なる画像をそれぞれ良好な視認性をもって観賞することができる。
【発明の効果】
【００１８】
本発明によれば、以下の効果を奏する。
すなわち、本発明に係るバックライトユニット及びこれを備えた表示装置によれば、２段重ねされた第１のプリズムシートと第２のプリズムシートとを備え、それぞれに第１の導光板及び第２の導光板を介して第１の光源及び第２の光源からの光を入射可能であるので、第１の光源及び第２の光源の各ＯＮ／ＯＦＦ動作を選択して切り替えることで、狭指向性、二方向への分極指向性さらには広指向性を任意にかつ迅速に切り替えることが可能になる。したがって、このバックライトユニット及び表示装置を車載用のカーナビゲーション及びテレビジョンに用いることで、車内の席に応じた光指向性を任意に選択でき、各席で明るく視認性の高い良好な画像を見ることができる。
【発明を実施するための最良の形態】
【００１９】
以下、本発明に係るバックライトユニット及びこれを備えた表示装置の第１実施形態を、図１から図５に基づいて説明する。
【００２０】
本実施形態におけるバックライトユニット１は、図１及び図２に示すように、上面を液晶表示パネル（画像表示パネル）２の裏面側に配され、平行な複数の稜線３ａを有するプリズム部３を下面側に有する第１のプリズムシート４と、第１のプリズムシート４の下面側に配される第１の導光板５と、第１の導光板５の下面側に配され平行な複数の稜線３ａを有するプリズム部３を下面側に有する第２のプリズムシート６と、第２のプリズムシート６の下面側に配される第２の導光板７と、第１の導光板５の端部に配されかつ第１のプリズムシート４におけるプリズム部３の稜線３ａに対して光軸がねじれの位置に設定されて第１の導光板５内に光を出射する第１の光源８と、第２の導光板７の端部に配されかつ第２のプリズムシート６におけるプリズム部３の稜線３ａに対して光軸がねじれの位置に設定されて第２の導光板７内に光を出射する第２の光源９と、第２の導光板７の下面に配された反射シート１０とを備えている。
【００２１】
なお、本実施形態では、バックライトユニット１の光出射面側である表面側を上面側とし、裏面側を下面側として記載している。また、第１の光源８及び第２の光源９の光軸は、上述したように、それぞれ第１のプリズムシート４及び第２のプリズムシート６におけるプリズム部３の稜線３ａに対して光軸がねじれの位置に設定されるが、上方への高い指向性が得られる方向として、プリズム部３の稜線３ａに直交する方向と平行に設定される。また、上記プリズム部３の角度は、分極指向性の方向等に応じて任意に設定される。
【００２２】
また、本実施形態の表示装置は、車載用のカーナビゲーション又は車載用のテレビジョンに用いられる液晶表示装置であって、液晶表示パネル２と、液晶表示パネル２の裏面側に配された上記バックライトユニット１と、光を出射する第１の光源８と第２の光源９とを切り替え可能な制御回路である切替制御部１１とを備えている。
【００２３】
上記液晶表示パネル２は、透過型又は半透過型の液晶表示パネルが採用される。本実施形態の液晶表示パネル２は、半透過型であり、上基板１２と下基板１３との間隙に液晶Ｌをシール材１４で封止したパネル本体１５と、その下面側に光透過性と光反射性の両機能を持った半透過反射板１６とを備えている。上記液晶Ｌは、ＴＮ液晶やＳＴＮ液晶等が用いられる。上記上基板１２は、ガラス等からなる上透明基板１２ａと、この上透明基板１２ａの下面に設けられＩＴＯ膜からなる上透明電極１２ｂと、上透明電極１２ｂの下面に設けられ透明なポリイミド樹脂膜等に配向処理を施した上配向膜１２ｃと、上透明基板１２ａの上面に設けられた上偏光板１２ｄとを備えている。
【００２４】
上記下基板１３は、ガラス等からなる下透明基板１３ａと、この下透明基板１３ａの上面に設けられＩＴＯ膜からなる下透明電極１３ｂと、下透明電極１３ｂの上面に設けられ透明なポリイミド樹脂膜等に配向処理を施した下配向膜１３ｃと、下透明基板１３ａの下面に設けられた下偏光板１３ｄとを備えている。
上記半透過反射板１６は、透過性を有するように形成されたアルミ金属蒸着膜シートや反射型偏光板等が用いられる。なお、上基板１２と下基板１３との間隙には、シリカボールやプラスチックボール等からなるスペーサ（図示略）が分散されて配され、所定の間隙を確保している。
【００２５】
上記第１のプリズムシート４及び第２のプリズムシート６は、第１の導光板５及び第２の導光板７からの光を上面側に集光するための透明シート状の部材である。これら第１のプリズムシート４及び第２のプリズムシート６は、プリズム部３の稜線３ａが互いに平行して並んで配されている。
上記第１の導光板５及び第２の導光板７は、透明なポリカーボネイト樹脂やアクリル樹脂等で形成されている。なお、第１の導光板５の下面には、光が主に上面から出射されるように角度設定された複数の傾斜面が形成されている。
上記反射シート１０は、光反射機能を有する金属板、フィルム、箔等であって、本実施形態ではアルミ金属蒸着膜を設けたフィルムが採用されている。
【００２６】
上記第１の光源８及び第２の光源９は、第１の導光板５及び第２の導光板７の側端部に複数配置された白色ＬＥＤである。この白色ＬＥＤは、例えば基板上の半導体発光素子を樹脂材で封止したものであり、半導体発光素子として、例えば青色（波長λ：４７０〜４９０ｎｍ）ＬＥＤ素子又は紫外光（波長λ：４７０ｎｍ未満）ＬＥＤ素子であって、例えばサファイア基板などの絶縁性基板上に窒化ガリウム系化合物半導体（例えばＩｎＧａＮ系化合物半導体）の複数の半導体層が積層されて形成されたものである。
また、この半導体発光素子を封止する樹脂材は、シリコーン樹脂を主剤とし、例えばＹＡＧ蛍光体が添加されている。このＹＡＧ蛍光体は、半導体発光素子からの青色光又は紫外光を黄色光に変換させて混色効果により白色光を生じさせるものである。なお、白色ＬＥＤとしては、上記以外でも種々のものが採用可能である。
【００２７】
上記切替制御部１１は、第１の光源８及び第２の光源９に接続され、第１の光源８及び第２の光源９のＯＮ／ＯＦＦ動作を制御すると共に、このＯＮ／ＯＦＦ動作に応じて第１の光源８と第２の光源９との両光量を個別に調整可能である。具体的には、切替制御部１１は、第２の光源９のみを点灯させる場合、第２の光源９の光量を第１の光源８よりも高くするように、第２の光源９への電流を第１の光源８よりも高く設定している。また、切替制御部１１は、第１の光源８と第２の光源９とを同時点灯する場合に、いずれか一方のみを点灯する場合と同様の輝度になるように、一方のみが点灯する場合よりも電流を下げて両方の光量を調整している。
【００２８】
次に、本実施形態のバックライトユニット及び表示装置において、光指向性の切替方法について図３から図５を参照して説明する。
【００２９】
まず、液晶表示パネル２の画面正面に対して狭指向性を有するようにしたい場合、切替制御部１１により、図３に示すように、第１の光源８のみに通電して第１の光源８だけをＯＮ状態として発光させる。第１の光源８から出射された光は、第１の導光板５内に入射され第１の導光板５内を反射及び屈折されながら、第１の導光板５の主に上面から上方に出射される。
【００３０】
さらに、第１の導光板５の上面から出射した光は、第１のプリズムシート４を透過して上方に出射される。この際、第１のプリズムシート４のプリズム部３により光の進行方向が直上方向に向けられることで、正面に狭指向性を有した照射光となって液晶表示パネル２に入射される。したがって、この狭指向性の照射光が透過することで、液晶表示パネル２の表示は、画面正面において高い輝度で見ることができる。
【００３１】
また、液晶表示パネル２の画面斜め側方に対して分極指向性を有するようにしたい場合、切替制御部１１により、図４に示すように、第２の光源９のみに通電して第２の光源９だけをＯＮ状態として発光させる。この際、切替制御部１１は、液晶表示パネル２に照射される光の輝度が第１の光源８のみをＯＮにした上記の場合と同じとなるように第２の光源９に加える電流を調整する。
第２の光源９から出射された光は、第２の導光板７内に入射され第２の導光板７内を反射及び屈折されながら、第２の導光板７の主に上面から上方に出射される。なお、第２の導光板７の下面では、反射シート１０によって光が上方へと反射されて上面から出射されるようになっている。
【００３２】
第２の導光板７から上方に出射された光は、第２のプリズムシート６、第１の導光板５及び第１のプリズムシート４の順に透過して上方へと照射される。この際、第２のプリズムシート６を透過するときに、そのプリズム部３によって一旦、直上方向へと光の進行方向が変えられるが、次の第１のプリズムシート４を透過する際に、そのプリズム部３によって稜線３ａの両側斜め方向に傾斜して光の進行方向が分極する。
【００３３】
したがって、２方向に分かれた分極指向性の照射光が液晶表示パネル２を透過することになり、液晶表示パネル２の表示は、画面斜め側方の２方向において画面正面よりも高い輝度で見ることができる。例えば、ダッシュボード中央に設置された車載用のカーナビゲーションに本実施形態の表示装置を採用した場合、この設定に切り替えることで、運転席の運転者及び助手席の同乗者の両方において高い輝度で良好な視認性を確保することができる。
【００３４】
さらに、液晶表示パネル２の画面正面及び画面斜め側方のそれぞれに対して広指向性を有するようにしたい場合、切替制御部１１により、図５に示すように、第１の光源８及び第２の光源９の両方に通電して第１の光源８及び第２の光源９をＯＮ状態として同時に発光させる。なお、この際、切替制御部１１は、液晶表示パネル２に照射される光の輝度が第１の光源８及び第２の光源９の一方のみをＯＮにした上記の場合と同じになるように、第１の光源８及び第２の光源９に加える電流を調整する。
【００３５】
第１の光源８から出射された光は、上述したように第１のプリズムシート４によって狭指向性の照射光となり、第２の光源９から出射された光は、上述したように第２のプリズムシート６及び第１のプリズムシート４によって分極指向性の照射光となることから、これら照射光が合わさった広指向性の照射光が得られる。
【００３６】
したがって、この広指向性の照射光が透過することで、液晶表示パネル２の表示は、画面正面及び画面斜め側方の広い範囲において高い輝度で見ることができる。例えば、ダッシュボード中央に設置された車載用のカーナビゲーションに本実施形態の表示装置を採用した場合、この設定に切り替えることで、運転席の運転者、助手席の同乗者及び後部座席の同乗者の三者において高い輝度で良好な視認性を確保することができる。
【００３７】
このように本実施形態では、２段重ねされた第１のプリズムシート４と第２のプリズムシート６とを備え、それぞれに第１の導光板５及び第２の導光板７を介して第１の光源８及び第２の光源９からの光を入射可能であるので、第１の光源８のみから光を照射した場合には、第１のプリズムシート４のみを光が透過することで画面正面への狭指向性が得られ、第２の光源９のみから光を照射した場合には、第２のプリズムシート６及び第１のプリズムシート４の両方を光が透過することで画面斜め側方への分極指向性が得られる。さらに、第１の光源８及び第２の光源９の両方から光を照射した場合には、上記２つの指向性が合わされて、画面正面及び画面斜め側方の三方向に分極した広指向性を高い輝度で得ることができる。
【００３８】
また、切替制御部１１が、第１の光源８と第２の光源９との両光量を個別に調整可能であるので、第２の光源９の光量を第１の光源８よりも高く設定することで、第１の光源８と第２の光源９との切り替え前後で輝度バランスを一定にすることができ、第１の光源８と第２の光源９とを同時点灯する場合には、いずれか一方のみを点灯する場合と同様の輝度になるように両方の光量を調整することで、両方点灯と片方点灯との輝度バランスを一定にすることができる。
【００３９】
このように、第１の光源８及び第２の光源９の各ＯＮ／ＯＦＦ動作を選択して切り替えることで、狭指向性、二方向への分極指向性さらには広指向性を任意にかつ迅速に切り替えることが可能になる。特に、車載用のカーナビゲーション又は車載用のテレビジョンに用いることで、運転席、助手席及び後部座席にそれぞれ対応した光指向性を選択でき、任意の席で明るくて良好な視認性を得ることができる。
【００４０】
次に、本発明に係るバックライトユニット及び表示装置の第２実施形態について、図６を参照して説明する。なお、以下の実施形態の説明において、上記実施形態において説明した同一の構成要素には同一の符号を付し、その説明は省略する。
【００４１】
第２実施形態と第１実施形態との異なる点は、第１実施形態では、第１のプリズムシート４のプリズム部３と第２のプリズムシート６のプリズム部３との互いの稜線３ａが平行に配されているのに対し、第２実施形態のバックライトユニット及び表示装置は、図６に示すように、プリズム部３の稜線３ａが、第１のプリズムシート４と第２のプリズムシート６とで互いにねじれの位置に配されている点である。
【００４２】
すなわち、第２実施形態では、第２のプリズムシート６においてプリズム部３の稜線３ａを上下方向に延在させて配した場合、これら稜線３ａに対して直交する方向と平行に、すなわち左右方向に延在させて第１のプリズムシート４におけるプリズム部３の稜線３ａを配している。また、第１の光源８と第２の光源９とは、それぞれ対応する第１のプリズムシート４及び第２のプリズムシート６におけるプリズム部３の稜線３ａの方向に対応して互いに直交する別々の端面側に配されている。なお、図６において、第２のプリズムシート６においてプリズム部３の稜線３ａを実線で示し、第１のプリズムシート４におけるプリズム部３の稜線３ａを破線で示している。
【００４３】
したがって、第２実施形態では、第１のプリズムシート４におけるプリズム部３の稜線３ａによって、液晶画面の上下斜め方向に分極する光指向性を得ることができる。なお、第１のプリズムシート４を第２のプリズムシート６に対して任意に回転可能にした構成を採用し、任意に光指向性の分極方向を設定できるようにしても構わない。
【００４４】
なお、本発明は上記各実施形態に限定されるものではなく、本発明の趣旨を逸脱しない範囲において種々の変更を加えることができる。
【００４５】
例えば、上述したように、第１の光源８及び第２の光源９に白色ＬＥＤを用いることが好適であるが、線状光源の蛍光管を光源として採用しても構わない。
また、切替制御部１１により第２の光源９の光量を第１の光源８よりも高く設定しているが、第２の光源９の白色ＬＥＤの設置個数を第１の光源８よりも多くして、第２の光源９の総光量を高くしても構わない。
【００４６】
また、上記各実施形態では、液晶表示パネル２全体で同一画像を表示しているが、表示画面に対する方向に応じて異なる画像を表示可能な画像表示パネルを採用しても構わない。この場合、表示画面を見る方向に応じた光指向性を選択することで、見る方向によって異なる画像をそれぞれ良好な視認性をもって観賞することができる。例えば、カーナビゲーションにおいて、ダッシュボードの中央に装置がセットされている状態で、運転席方向からは地図情報が表示画面で視認可能であると共に、助手席方向からはテレビジョンの画像が表示面で視認可能である機能を有する場合、本発明のバックライトユニットにおいて左右への分極指向性を選択すれば、両席でそれぞれ異なる画像を良好に視認することができる。
【００４７】
上記各実施形態では、画像表示パネルとして液晶表示パネル２を採用しているが、他の画像表示パネルを用いても構わない。例えば、電子ペーパーなどの画像表示パネルを採用しても良い。
また、上記各実施形態では、車載用のカーナビゲーション又は車載用のテレビジョンに用いているが、他の表示、例えば値段表示などに適用しても構わない。
また、大面積の画面に対応させて本発明のバックライトユニットを複数並べて構成しても構わず、さらに各バックライトユニットの光指向性を個別に制御可能にしても構わない。
【図面の簡単な説明】
【００４８】
【図１】本発明に係る第１実施形態のバックライトユニット及び表示装置において、表示装置を示す概略的な断面図である。
【図２】第１実施形態において、バックライトユニットを示す斜視図である。
【図３】第１実施形態において、バックライトユニットで狭指向性により照射を行う場合を示す説明図である。
【図４】第１実施形態において、バックライトユニットで分極指向性により照射を行う場合を示す説明図である。
【図５】第１実施形態において、バックライトユニットで広指向性により照射を行う場合を示す説明図である。
【図６】本発明に係る第２実施形態のバックライトユニット及び表示装置において、第１及び第２のプリズムシートにおけるプリズム部の稜線方向を示す説明図である。
【符号の説明】
【００４９】
１…バックライトユニット、２…液晶表示パネル（画像表示パネル）、３…プリズム部、３ａ…稜線、４…第１のプリズムシート、５…第１の導光板、６…第２のプリズムシート、７…第２の導光板、８…第１の光源、９…第２の光源、１１…切替制御部
【図１】
2008123925.tif 000003
【図２】
2008123925.tif 000004
【図３】
2008123925.tif 000005
【図４】
2008123925.tif 000006
【図５】
2008123925.tif 000007
【図６】
2008123925.tif 000008